(57)【要約】  【課題】使用時の剛性を向上しつつ消耗品の交換を容易に行うことができ、さらにケースの組み立て手順も簡単であって、なおかつ転写性が良好な使い勝手が極めて良い転写具を提供する。  【解決手段】転写物Ｔを内蔵するケース本体１を、少なくとも転写物Ｔを含む交換部品を保持する第一ケース２と、この第一ケース２と係脱可能に係り合い且つ転写物Ｔを転写対象物へ送り出す送出機構部品の少なくとも一部を構成する非交換部品を保持する第二ケース３とから構成してなる転写具Ａに、第一ケース２と第二ケース３とを係り合わせた状態でケース本体１をベース４に保持させる保持部Ｋと、この保持部Ｋによりケース本体１をベース４に保持させた使用姿勢Ｐと保持部Ｋによる保持状態を解除し第一ケース２と第二ケース３とを係脱可能とした保持解除姿勢Ｑとの間でベース４に対し第二ケース３を回動可能に支持させる回動支持部Ｌとを形成した。【選択図】図１
2005320088.tif 000002
【特許請求の範囲】
【請求項１】
転写物を内蔵するケース本体と、該ケース本体を保持し得るベースとを具備してなり、
前記ケース本体を、少なくとも転写物を含む交換部品を保持する第一ケースと、該第一ケースと係脱可能に係り合い且つ前記転写物を転写対象物へ送り出す送出機構部品の少なくとも一部を構成する非交換部品を保持する第二ケースとから構成し、
前記第一ケースと前記第二ケースとを係り合わせた状態で前記ケース本体を前記ベースに保持させる保持部と、該保持部によりケース本体を前記ベースに保持させた使用姿勢と該保持部による保持状態を解除し前記第一ケースと第二ケースとを係脱可能とした保持解除姿勢との間で前記ベースに対し前記第二ケースを回動可能に支持させる回動支持部とを有してなることを特徴とする転写具。
【請求項２】
前記保持部が、前記ベースと前記第一ケース及び前記第二ケースとの係脱可能な嵌合構造によるものである請求項１記載の転写具。
【請求項３】
前記保持部において、前記ベースを前記第一ベース及び前記第二ベースの所定領域に外嵌させている請求項２記載の転写具。
【請求項４】
前記ケース本体が前記保持部により前記ベースに保持された状態で、該ベースとケース本体とを着脱可能に係止する係止部を形成している請求項１、２又は３記載の転写具。
【請求項５】
前記係止部が、前記ベース又はケース本体の何れか一方に形成した係止爪と、他方に形成され前記係止爪と着脱可能に係り合う係止孔とから構成されるものである請求項４記載の転写具。
【請求項６】
前記係止部が、前記ベース又は第二ケースの何れか一方に形成した係止爪と、他方に形成され前記係止爪と着脱可能に係り合う係止孔とから構成されるものである請求項４記載の転写具。
【請求項７】
前記回動支持部による前記ベースと前記第二ケースとの回動方向と、前記第一ケースと前記第二ケースとの係脱方向とを異ならせている請求項１、２、３、４、５又は６記載の転写具。
【請求項８】
前記回動支持部による前記ベースと前記第二ケースとの回動方向と、前記第一ケースと前記第二ケースとの係脱方向とを略直交させている請求項７記載の転写具。
【請求項９】
前記回動支持部を、前記ベース又は前記第二ケースの何れか一方に形成した回動支軸と、該回動支軸を回動可能に挿通させる回動凹部とから構成している請求項１、２、３、４、５、６、７又は８記載の転写具。
【請求項１０】
前記回動支軸と前記回動凹部とを、前記保持解除姿勢において係脱可能とし、前記使用姿勢において前記保持部により係脱を禁止するように構成している請求項９記載の転写具。
【請求項１１】
前記ケース本体が前記転写物を転写対象物に接触させる転写ヘッドを具備してなり、前記ベースに前記回動支持部によるケース本体に対する回動方向に開放された開口部を形成し、前記使用姿勢において前記転写ヘッドを前記開口部内に位置付けて、該転写ヘッドのうち転写物を転写対象物に押し付ける転写面を前記開口部から転写対象物側へ突出させている請求項１、２、３、４、５、６、７、８、９又は１０記載の転写具。
【請求項１２】
前記ベースの反ケース本体側に、前記使用姿勢において前記転写ヘッドの転写面と対面して前記転写対象物を受ける転写対象物受け台を配置し、該転写対象物受け台と前記ベースとの間に、転写対象物を挿通可能な挿通空間を形成して、該挿通空間に前記転写ヘッドの転写面を位置付けている請求項１１記載の転写具。
【請求項１３】
前記転写対象物受け台を、前記回動支持部により前記ケース本体に対して前記ベースと一体に回動可能としている請求項１２記載の転写具。
【請求項１４】
前記転写対象物受け台に、前記転写ヘッドの転写面へ転写対象物を案内するガイド部を設けている請求項１２又は１３記載の転写具。
【請求項１５】
前記ガイド部が、前記転写対象物に対して前記転写ヘッドとは反対側から当接しつつ回転可能な補助ローラである請求項１４記載の転写具。
【請求項１６】
前記保持解除姿勢において、前記ガイド部を前記転写対象物受け台に対し着脱可能としている請求項１４又は１５記載の転写具。
【請求項１７】
前記ケース本体に、回転動作を伴って前記転写物を前記転写対象物に接触させ供給する転写ローラを有する転写ヘッドを具備してなり、該転写ローラを含む転写ヘッドを、前記交換部品の一部として前記第一ケースに保持させている請求項１、２、３、４、５、６、７、８、９、１０、１１、１２、１３、１４、１５又は１６記載の転写具。
【請求項１８】
前記転写物が、長尺なテープ本体の一方の面に貼付され前記転写ヘッドの転写面の幅寸法以内の所定幅を有する帯状をなして前記転写対象物に貼着されるテープ糊又は修正テープ等の塗膜であり、該転写物を付帯した前記テープ本体を巻回保持して送り出す巻き出しスプールと、転写物を転写対象物へ貼着させた後のテープ本体を巻回保持して回収する巻き取りスプールとを、前記交換部品の一部として前記第一ケースに保持させている請求項１７記載の転写具。
【請求項１９】
前記送出機構部品において前記第二ケースに保持される非交換部品が、前記巻き出しスプール及び巻き取りスプールを連動させて回転駆動する回転駆動部品である請求項１８記載の転写具。
【請求項２０】
前記回転駆動部品が、前記巻き出しスプール及び前記巻き取りスプールとそれぞれ着脱可能に係り合う巻き出しギア及び巻き取りギアとを少なくとも具備するものであり、これら巻き出しギアと巻き取りギアとを直接又は間接に噛合させている請求項１９記載の転写具。
【請求項２１】
前記保持部を、使用時に操作者が手で持つ把持領域としている請求項１、２、３、４、５、６、７、８、９、１０、１１、１２、１３、１４、１５、１６、１７、１８、１９又は２０記載の転写具。
【発明の詳細な説明】
【技術分野】
【０００１】
本発明は、紙等の転写対象物にテープ糊や修正テープ等の転写物を転写するために用いられる詰替タイプの転写具に関するものである。
【背景技術】
【０００２】
この種の転写具は、テープ糊や修正テープ等の塗膜からなる転写物をケース内に収容しておき、紙面等の転写対象物に転写物を接触させた状態で転写具自体を使用者が手で持って所定方向へ引くことで、転写物を転写対象物に貼着させるように構成されている。ところで、従来から使用されている転写具には、使い切りタイプのものと、転写物を最後まで使い切った後に再使用可能な部品を残しておき転写物を含む消耗部品を新たなものと交換する詰替タイプのものとが存在する。特に詰替タイプの転写具としては、半割構造をなすケースに転写物や転写物をケース外に送り出す送出機構部品を内蔵させて、転写具を使い終えた場合にケースを分離して交換すべき部材を新たなものと入れ替えるようにしたものが種々考えられている（例えば、特許文献１参照）。同文献に開示されている転写具は、ケースを半割構造（一方を第一ケース、他方を第二ケースと仮称する）からなるものとし、第一ケースには塗膜テープ、リール、転写ヘッドを内蔵させ、第二ケースにギヤ等の機構部品を内蔵させて、第一ケースと第二ケースとを嵌合させた状態で所要箇所において係合爪と係止部とを係合させることで一体のケースとして組み立てて転写具として使用可能な状態とする一方、塗膜テープ等を内蔵した第一ケースをカートリッジと見立てることでこのカートリッジを新品と交換できるようにしたものである。
【特許文献１】特開２００２−１７８６９４
【発明の開示】
【発明が解決しようとする課題】
【０００３】
ところが、このような構成の転写具であると、ケースが第一ケースと第二ケースとからなる半割の嵌合筐体構造を有していることに起因して、使用時に転写ヘッドを紙等の転写対象物へ押し付ける力が強すぎた場合や、使用時にケースを持つ使用者の手の力が強すぎた場合には、ケース自体に撓みが生じたりケース内の部品に不要な押圧力が作用して適切に転写物を送出することができなくなり、転写性が損なわれることがあった。また、第一ケースと第二ケースとを相互に嵌め合わせた上でそれらに設けられた係合爪と係止部とを係合させる構造を有しているので、一旦分離させた第一ケースと第二ケースを正確に位置決めしないことには一体のケースに組み立てることが難しく、またその位置決めの手間も面倒であった。
【０００４】
そこで本発明は、以上のような問題に鑑みて、使用時の剛性を向上しつつ消耗品の交換を容易に行うことができ、さらにケースの組み立て手順も簡単であって、なおかつ転写性が良好な使い勝手が極めて良い転写具を提供しようとするものである。
【課題を解決するための手段】
【０００５】
すなわち本発明の転写具は、転写物を内蔵するケース本体と、このケース本体を保持し得るベースとを具備してなり、前記ケース本体を、少なくとも転写物を含む交換部品を保持する第一ケースと、この第一ケースと係脱可能に係り合い且つ転写物を転写対象物へ送り出す送出機構部品の少なくとも一部を構成する非交換部品を保持する第二ケースとから構成し、第一ケースと第二ケースとを係り合わせた状態でケース本体をベースに保持させる保持部と、この保持部によりケース本体をベースに保持させた使用姿勢と保持部による保持状態を解除し第一ケースと第二ケースとを係脱可能とした保持解除姿勢との間でベースに対し第二ケースを回動可能に支持させる回動支持部とを有してなることを特徴としている。
【０００６】
このような構成を有する転写具であれば、分解可能に組み立て得るケース本体を構成する第一ケース及び第二ケースを、保持部によってベースに保持させることで転写具として使用可能な状態である使用姿勢とすることができるので、転写具の剛性、安定性が増し、転写対象物に対する転写物の転写性や転写具の使用感を向上することができる。また、消耗品である転写物を含む交換部品を新品と取り替える際には、回動支持部によってケース本体とベースとを相対的に回動させて保持解除姿勢とし、第一ケースと第二ケースとの係り合いを解除することでケース本体を分解するようにしているので、交換部品の取り替え作業を簡単に行うことができる。特に再使用可能な非交換部品はベースに回動可能に支持された第二ケースに保持させてあり、この第二ケース及びベースから離脱可能な第一ケースに交換部品を保持させているので、交換部品を第一ケースごと新品と取り替えることが可能であり、交換の作業性をより一層高めることができる。さらに、保持解除姿勢においては第二ケースがベースから分離させる必要がなく、第一ケースのみを第二ケースから分離させて交換することができるため、必要な部品の紛失を有効に防止することができる。また、第一ケースを第二ケースに係り合わせた状態で再度ベースに保持させる際には、回動支持部によりベースとケース本体とを相対回動させれば保持部による使用姿勢に戻すことができるので、第一ケースと第二ケースとの間には従来のような係合爪と係止部との係合構造を適用しなくても、第一ケース及び第二ケース相互の位置決めを簡易に図ることができるようになる。
【０００７】
特に転写具の剛性を容易に向上でき、しかもケース本体とベースとの組み立て分解の簡易な構造の保持部としては、ベースと第一ケース及び第二ケースとの係脱可能な嵌合構造によるものを挙げることができる。より具体的に転写具の剛性を向上することができる保持部の構造としては、ベースを第一ベース及び第二ベースの所定領域に外嵌させたものを例示することができる。
【０００８】
ケース本体をベースに保持させた使用姿勢において、そのケース本体とベースとが安易に分離することがなく、使用姿勢の安定化を図るには、ケース本体が保持部によりベースに保持された状態で、ベースとケース本体とを着脱可能に係止する係止部を形成するとよい。このような係止部の簡易な構造としては、ベース又はケース本体の何れか一方に形成した係止爪と、他方に形成されて前記係止爪と着脱可能に係り合う係止孔とから構成したものが好適である。特に回動支持部によりベースとケース本体とを使用姿勢と保持解除姿勢との間で相対回動させた際に、自動的且つ適正に係止部が作用するように構成するには、係止部を、ベース又は第二ケースの何れか一方に形成した係止爪と、他方に形成されて係止爪と着脱可能に係り合う係止孔とから構成することが好ましい。
【０００９】
保持部によるベースのケース本体に対する保持状態の確実性を高めるには、回動支持部によるベースと第二ケースとの回動方向と、第一ケースと第二ケースとの係脱方向とを異ならせることが望ましく、より好ましくは、回動支持部によるベースと第二ケースとの回動方向と、第一ケースと第二ケースとの係脱方向とを略直交させるのがよい。
【００１０】
また、回動支持部を簡易な構造とするには、ベース又は第二ケースの何れか一方に形成した回動支軸と、この回動支軸を回動可能に挿通させる回動凹部とから回動支持部を構成することが望ましい。さらに、上述の非交換部品も破損などにより交換の必要が生じることが考えられ、またベースと第二ケースとを別素材から形成している場合に分別廃棄の必要が生じることも考えられるが、それらの場合にはベースと第二ケースとを分離可能な構造とすることが望ましい。したがって、斯かる態様に対応するには、回動支軸と回動凹部とを、保持解除姿勢において係脱可能とし、使用姿勢において保持部により係脱を禁止するように構成することが好適となる。
【００１１】
以上のような構成においても転写性能を簡易な構成で良好維持するためには、ケース本体に転写物を転写対象物に接触させる転写ヘッドを具備させ、ベースに回動支持部によるケース本体に対する回動方向に開放された開口部を形成し、使用姿勢において転写ヘッドをこの開口部内に位置付けて、転写ヘッドのうち転写物を転写対象物に押し付ける転写面を開口部から転写対象物側へ突出させることが望ましい。
【００１２】
特に転写対象物に対して上方から転写ヘッドを当接させ、空中で転写具を手で持って所定方向へ引く態様で使用すると、転写物が蛇行して転写対象物に転写される場合があるが、このような問題を解消して転写の直進性を高めるには、転写対象物を転写具の内部に挟み込んで所定方向へ引くことが望ましいといえる。斯かる機能を実現するための転写具の構成としては、ベースの反ケース本体側に、使用姿勢において転写ヘッドの転写面と対面して転写対象物を受ける転写対象物受け台を配置し、この転写対象物受け台とベースとの間に、転写対象物を挿通可能な挿通空間を形成して、この挿通空間に転写ヘッドの転写面を位置付けたものが好適である。この場合、転写対象物受け台を、回動支持部によりケース本体に対して前記ベースと一体に回動可能とすれば、転写対象物受け台を設けたことによっても第一ケースの交換作業性を損なうことがない。
【００１３】
さらに、転写対象物受け台には、転写ヘッドの転写面へ転写対象物を案内するガイド部を設けることで、転写時における転写対象物の転写具に対する安定性を向上することができる。このようなガイド部の好適な一例としては、転写対象物に対して転写ヘッドとは反対側から当接しつつ回転可能な補助ローラを挙げることができる。また、使用の結果、ガイド部が汚損することもあり得ることから、保持解除姿勢において、ガイド部を転写対象物受け台に対し着脱可能な構成を採用すれば、汚損したガイド部を新品と交換することができるようになる。なお転写物受け台とガイド部とが別素材からなる場合には、それらの分別廃棄も容易となる。
【００１４】
また、転写物の転写対象物にたいする滑らかな転写性を実現し得る転写ヘッドとしては、回転動作を伴って前記転写物を前記転写対象物に接触させ供給する転写ローラを有するものが挙げられ、この転写ローラを含む転写ヘッドを、交換部品の一部として前記第一ケースに保持させると、使用により汚損した転写ヘッドの交換を容易に行うことができる。
【００１５】
さらにこの種の転写具に適用される好適な転写物には、長尺なテープ本体の一方の面に貼付され転写ヘッドの転写面の幅寸法以内の所定幅を有する帯状をなして転写対象物に貼着されるテープ糊又は修正テープ等の塗膜を挙げることができるが、この場合には、転写物を付帯したテープ本体を巻回保持して送り出す巻き出しスプールと、転写物を転写対象物へ貼着させた後のテープ本体を巻回保持して回収する巻き取りスプールとを、交換部品の一部として第一ケースに保持させることによって、転写物のみを交換部品とする場合と比較して格段に簡便な交換作業を行うことができる。これに対して、送出機構部品において第二ケースに保持される非交換部品として好適なものには、巻き出しスプール及び巻き取りスプールを連動させて回転駆動する回転駆動部品を例示することができる。より具体的に好ましい回転駆動部品としては、巻き出しスプール及び巻き取りスプールとそれぞれ着脱可能に係り合う巻き出しギア及び巻き取りギアとを少なくとも具備するものであり、これら巻き出しギアと巻き取りギアとを直接又は間接に噛合させたものが挙げられる。
【００１６】
以上に説明したような構成を有する転写具においては、保持部を、使用時に操作者が手で持つ把持領域とすることで、使用時の転写具の剛性を向上することができる。したがって、保持部をケース本体とベースとの嵌合構造とし且つ把持領域とした場合には、使用時の転写具の剛性を特に顕著に向上できることになる。
【発明の効果】
【００１７】
本発明の転写具によれば、第一ケースと第二ケースとに分解可能なケース本体を保持部を通じてベースに保持させる構造を有しており、その保持状態で転写具として使用可能な使用姿勢をとるため、単なる半割構造のケースを有する転写具と比較して、使用時における剛性を高めることができ、その結果、ケースに生じる撓み等を低減、解消させて転写性能を高いものとすることができる。また、第一ケースと第二ケースを係合爪等で係り合わせなくても保持部によってベースに保持させることでケース本体として一体化させることができるため、第一ケースと第二ケースの構造の簡素化を図ることができる。
【００１８】
特にベースには第二ケースを回動支持部によって回動可能に支持させており、第一ケースと第二ケースとを分離又は再組立可能な保持解除姿勢と、ベースがケース本体を保持した使用姿勢との間においてベースと第二ケースとを回動させることができるようにしているため、回転操作という簡単な操作でケース本体の組立分解が可能な状態にすることができる。そして、この第二ケースには非交換部品を保持させる一方、第二ケースと分離される第一ケースには消耗品である転写物を含む交換部品を保持させているため、交換部品を付帯した第一ケースをそのまま新品と交換することで再度転写具として使用可能な状態とすることができる。しかも第一ケースの交換作業には第二ケースとベースとを分離させる必要がないため、所要部品の紛失を好適に防止することができる。
【発明を実施するための最良の形態】
【００１９】
以下、本発明の一実施形態を、図面を参照して説明する。
【００２０】
図１に斜視図を示すこの実施形態の転写具Ａは、転写物として塗膜テープ状の糊（以下、「テープ糊Ｔ」と称する）を採用し、所要の長さずつ送り出したテープ糊Ｔの糊Ｔａを転写対象物（本実施形態では一例として「紙片Ｂ」を適用しているが、この限りではない）の表面に貼着させて使用に供されるものである。なおテープ糊Ｔは、樹脂製の長尺かつ薄肉なテープ本体Ｔｂの一方の面に予め糊Ｔａを貼着したものである。本実施形態では、転写具Ａを、糊Ｔａやそれを送り出す送出機構部品を収容したケース本体１と、このケース本体１を保持するとともにケース本体１に対して相対的に回動し得るように設けられたベース４と、糊Ｔａを転写する際にベース４との間に紙片Ｂを差し挟むための転写対象物受け台５とを主たる構成部品としており、特にケース本体１を、概ね半割構造をなす一対のケース（第一ケース２と第二ケース３）から構成することとしている。さらに詳述すれば、ベース４はケース本体１を保持部Ｋにより保持することで転写具Ａを使用可能な状態である使用姿勢Ｐを維持し得るようにしており、特にベース４は第二ケース３を回動支持部Ｌにより回動可能に支持し得る構成としている。なお、回動支持部Ｌによるベース４と第二ケース３との回動可能な範囲は、図１、図２（右側面図）及び図３（正面図）に示す使用姿勢Ｐと、図４及び図５（共に右側面図）に示すような保持部Ｋによる保持状態を解除して第一ケース２と第二ケース３とを分離組立可能な状態である保持解除姿勢Ｑとの間に設定してある。以下、具体的に各部の構成、機能について説明する。
【００２１】
ケース本体１は、図１〜図５に示すとおり、上述のように左右から相互に係脱可能な第一ケース２と第二ケース３とから構成したものである。まず第一ケース２は、図５、図８（ａ）、図９、図１０に示すように交換用カートリッジとして機能するものであり、ケース本体１の一方（本例では右側）の外側壁となる側壁２１と、この側壁２１の前端部、上端部及び後端部に亘って連続する周壁２２と、前記側壁２１と対向配置されて第二ケース３との組立状態においてケース本体１内に隠蔽される板状の内壁２３とから構成されており、下端部側は開放させている。本実施形態では第一ケース２を合成樹脂の一体成形品としている。側壁２１の下端部側には、特に図６及び図７に示すように、内方へ屈曲して垂下する屈曲部２１ａを前後に亘って形成しており、この屈曲部２１ａに連続させて周壁２２の前端部側における下端部側も内方（後方）へ屈曲させて屈曲部２２ａを形成している。また周壁２２の開放端部には、図６、図７、図９及び図１０に示すように、第二ケース３と嵌まり合うように薄肉とした薄肉部２２ｂを形成している。また側壁２１の内側面における前端部側と後端部側には、略水平に延びる軸部２４、２５を突出させて形成しており、前端部側の軸部２４には未使用状態のテープ糊Ｔを巻回状態で保持する巻き出しスプール２６を回転可能に支持させており、後端部側の軸部２５には糊Ｔａを転写した後のテープ本体Ｔｂを巻き取って巻回保持する巻き取りスプール２７を支持させている。これら巻き出しスプール２６及び巻き取りスプール２７は、内壁２３の前端部側及び後端部側に形成した丸孔２３ａ、２３ｂの各開口縁部にも回転可能に支持させている。また図２〜図５及び図８（ａ）（ｂ）に示すように、第一ケース２の前端部には下方の開口から突出させて転写ヘッド２８を取り付けている。具体的にこの転写ヘッド２８は、側壁２１と内壁２３の前端部間に支持される支持軸２８ｂと、この支持軸２８ｂと共に又は支持軸２８ｂに対して回転可能な転写ローラ２８ａとから構成される。したがって、巻き出しスプール２６から引き出したテープ糊Ｔは、下方から転写ローラ２８ａの下向きの面（当該面を転写面２８ａ1とする）を経由してこの転写面２８ａ1から糊Ｔａのみが紙片Ｂに塗布され、テープ本体Ｔｂのみが転写ローラ２８ａから巻き出しスプール２６の上側を通って巻き取りスプール２７に巻回状態で回収される。そして、消耗部品たるテープ糊Ｔと、テープ糊Ｔを紙片Ｂに供給するための送出機構部品の一部である巻き出しスプール２６、巻き取りスプール２７、転写ヘッド２８等を交換部品として、第一ケース２に付帯させた状態で新品と交換するようにしている。
【００２２】
第二ケース３は、通常はベース４や転写対象物受け台５とは分離させない状態で第一ケース２のみを交換できるように構成されたケース本体１のもう一方の構成要素であり、テープ糊Ｔを紙片Ｂに供給するための送出機構部品の一部である非交換部品を保持している。具体的に第二ケース３は、図１〜図３、図５〜図１０に示すように、第一ケース２の側壁２１と対をなしてケース本体１の外側壁（左側）を構成する側壁３１と、第一ケース２の周壁２２と対をなすように側壁３１の前端部、上端部及び後端部に亘って連続する周壁３２とから構成されており、下端部側は開放させている。本実施形態においては第二ケース３も合成樹脂の一体成形品としている。側壁３１の下端部側には、特に図６、図７に示すように、第一ケース２の屈曲部２１ａと対をなすように内方へ屈曲して垂下する屈曲部３１ａを前後に亘って形成しており、この屈曲部３１ａに連続させて周壁３２の前端部側における下端部側も内方（後方）へ屈曲させて第一ケース２の周壁２２における屈曲部２２ａと同様の屈曲部３２ａを形成している。周壁３２の開放端部には、図６、図７、図９及び図１０に示すように、第一ケース２と嵌まり合うように薄肉とした薄肉部３２ｂを形成している。すなわち第一ケース２と第二ケース３とは、各周壁２２、３２の薄肉部２２ｂ、３２ｂ同士の嵌合関係により係脱可能に係り合うように構成してある。また図５に詳細に示すように、側壁３１の内側面における前端部側と後端部側及びそれらの中間位置には、略水平に延びる軸部３３、３４、３５を突出させて形成しており、前端部側の軸部３４には巻き出しギア３６を回転可能に支持させてこの巻き出しギア３６に取り付けた巻き出しコア３６ａにより巻き出しスプール２６を回転駆動するように構成し、後端部側の軸部３４には巻き取りスプール２７を回転駆動するための巻き取りコア３７ａを一体に付帯した巻き取りギア３７を回転可能に支持させて、中間位置の軸部３５には巻き出しギア３６と巻き取りギア３７の双方に噛合してそれらの回転動作を同期させる中間ギア３８を回転可能に支持させている。これら巻き出しギア３６、巻き取りギア３７及び中間ギア３８は、糊Ｔａの送出機構部品のうち非交換部品として取り扱われるものである。なお、巻き出しギア３６と巻き出しコア３６ａとの間には、巻き出しコア３６ａを巻き出しスプール２６側へ押し付ける例えばバネ等の適宜の手段（図示省略）で弾性付勢することができる。この場合、巻き出しコア３６ａと巻き出しスプール２６との間に生じる摩擦力によって、巻き出しスプール３６の空転やそれに伴う転写テープＴの浪費を防止することができる。また、側壁３１の内側面の後端部には、図１、図２、図５及び図１１に示すように、第二ケース３をベース４に対して回動可能に連結するための回動支軸たる回動第一軸３９を略水平に突出させて設けている。この回動第一軸３９は両側方（突出方向）に貫通する中空状をなしており、側壁３１の外側面における後端部に開口させた凹部３１ｂに連通している。さらに周壁３２の前端部には、図４及び図５に明示するように、前方へ突出する鉤形をなす係止爪３２ｃと、前方から押圧することでこの係止爪３２ｃを前後方向へ弾性変形により撓ませる押圧操作釦３２ｄとを形成している。なお、押圧操作釦３２ｄは、周壁３２を部分的に厚肉としたものである。
【００２３】
ベース４は、ケース本体１において第一ケース２と第二ケース３とが相互に嵌め合わせられた状態で保持して転写具Ａを使用可能な使用状態Ｐとする機能と、ケース本体１を第一ケース２と第二ケース３とに分解可能な保持解除状態Ｑとする機能とを兼ね備えたものである。具体的にこのベース４は、図１〜図７に示すように、右左の板状をなす側壁４１、４２と、これら側壁４１、４２の前端部間を繋ぐ板状の前壁４３とを主体として構成し、上下に連続して開口する開口部４ｓを形成した枠状をなすものである。本実施形態では側壁４１、４２及び前壁４３を合成樹脂の一体成形品としているが、第一ケース２や第二ケース３よりも厚肉で剛性の高いものを採用している。右側の側壁４１と左側の側壁４２とは、ケース本体１と同程度の長手寸法を有し外観視略同様の形状をなして対向配置されるものであり、使用姿勢Ｐにおいて第一ケース２及び第二ケース３の各側壁２１、３１における屈曲部２１ａ、３１ａに対して外嵌し、前壁４３は各周壁２２、３２の屈曲部２２ａ、３２ａに対して外嵌するようにしてある。このとき側壁４１、４２及び前壁４３は、それぞれ第一ケース２及び第二ケース３の側壁２１、３１及び周壁２２、３２の前端部側と略面一となるようにしている。すなわち、ベース４を開口部４ｓ内に位置付けてケース本体１に対して外嵌させる構造により、ケース本体１が第一ケース２と第二ケース３とに分解しないようにベース４によって保持する保持部Ｋを構成している。なお、この保持部Ｋによってケース本体１を保持するベース４の前端部から転写ヘッド２８の一部（具体的には少なくとも転写ローラ２８ａの転写面２８ａ1）を突出させて転写機能を損なわないようにするために、ベース４の前端部には側面視湾曲形状をなして切り欠いた切欠部４ｘを形成している。また、一方（左側）の側壁４２の下端部は、後述する転写対象物受け台５を組み付けるために、図６、図７及び図１１に示すように、下端部を内側へ一旦屈曲させて他方（右側）の側壁４１よりも下方へ延出させることで、延出壁４２ａを形成している。さらにこのベース４は、第二ケース３を回動可能に支持している。そのための構成として、図８（ａ）（ｂ）に示すように、ベース４の一方（右側）の側壁４１の内面には、第二ケース３の側壁３１に形成した回動第一軸３９を相対的に回動可能に支持する回動第二軸４４を突出させて形成している。この回動第二軸４４は、回動第一軸３９に外嵌する外筒部４４ａと、回動第一軸３９の中空内部に内嵌する内筒部４４ｂとの二重筒構造を有しており、両筒部４４ａ、４４ｂの間の空隙を回動凹部４４ｄとし、内筒部４４ｂの突出端部には外側へ屈曲させた係合爪４４ｃを第二ケース３の側壁３１に開口させた凹部３１ｂ内に係合させている。斯かる構成により、第二ケース３をベース４に回動可能に支持させる回動支持部Ｌを構成している。さらにまた、前壁４３の内面側には、図５、図５に示すように、使用姿勢Ｐにおいて第二ケース３の周壁３２に形成した係止爪３２ｃと前後方向に係脱可能に係り合う係止孔４３ａを形成しており、これら係止爪３２ｃと係止孔４３ａとの係合関係により係止部Ｍを構成している。以上から、回動支持部Ｌに基づくベース４とケース本��１との相対的な回動動作は、第一ケース２と第二ケース３とを組み合わせて構成されるケース本体１に、保持部Ｋにおいてベース４を概観させて係止部Ｍを係止状態とした使用姿勢Ｐと、係止部Ｍを解除状態としてベース４をケース本体１の下方に位置付けることでケース本体１を第一ケースと第二ケースと第二ケース３とに分解又は再組立し得る保持解除姿勢Ｑとの間で行われることとなる。
【００２４】
転写対象物受け台５は、ベース４との間に転写対象物たる紙片Ｂを差し挟んだ状態で糊ａを転写することができるようにするためのものであり、ベース４と共にケース本体１に対して回動し得るように構成されている。具体的にこの転写対象物受け台５は、図１〜図７に示すように、紙片Ｂを挿通させるためにベース４の下端との間に所定高さの挿通空間５ｓを前後に亘って形成する上壁５１と、この上壁５１を支持する舟形の筐体５２とを主体として構成した樹脂製中空部材である。筐体５２はさらに、図６、図７及び図１１に示すように、左右に略半割構造で組立分解可能な第一下壁５２ａと第二下壁５２ｂとを係脱可能に係合させて構成しており、上壁５１の左右両端部から垂下させた垂下片５１ａ、５１ａを第一下壁５２ａ及び第二下壁５２ｂの各側端部から起立させた起立片５２ａ1、５２ｂ1にそれぞれ外嵌させることで一体の転写物受け台５として組み立てている。また、上壁５１の一部には、ベース４の延出壁４２ａを上方から挿通させて係合等の適宜の手段で両者を一体的に組み立てており、転写対象物受け台５がベース４と一体にケース本体１に対して回動するようにしている。すなわちこのような構成により、挿通空間５ｓは、ベース４の延出壁４２ａによって閉鎖された一側方（左側）を除いて前後及び他側方（右側）に開放されており、延出壁４２ａの内面を挿通空間５ｓに挿通した紙片Ｂの一辺を当接させて後端部側から前端部側へ案内することで、紙片Ｂに対し真っ直ぐ糊Ｔａを転写できるようにしている。なお、転写ヘッド２８における転写ローラ２８ａは、少なくとも転写面２８ａ1を挿通空間５ｓ内に位置付けている。また、挿通空間５ｓに挿入した紙片Ｂの安定性を確保するため、図１〜図８及び図１１に示すように、上壁５１を挿通空間５ｓの開放側の側方（左側）へ延出する延出壁５１ｃを形成し、この延出壁５１ｃの上面を上壁５１の上面と面一として、延出壁５１ｃによっても紙片Ｂを支持するとともに、紙片Ｂを挿通空間５ｓに差し込みやすくするようにしている。さらに、延出壁５１ｃの上面には、紙片Ｂへの糊Ｔａの転写開始位置を示す転写開始位置表示手段５１ｄを設けている。この転写開始位置表示手段５１ｄは、延出壁５１ｃの上面において、転写ローラ２８ａの支持軸２８ｂの延長線上に略沿った位置に設けた転写スタート位置表示ライン５１ｄ1と、この転写スタート位置表示ライン５１ｄ1のすぐ後方に設けた載置要領表示５１ｄ2とから構成したものである。本実施形態においてこれら転写スタート位置表示ライン５１ｄ1及び載置要領表示５１ｄ2は、いずれも延出壁５１ｃの上面を浅く刻印したものであり、転写スタート位置表示ライン５１ｄ1としては一直線状の線を、載置要領表示５１ｄ2としては紙片Ｂの形状を採用しているが、これらを延出壁５１ｃの上面に印刷したものとしたりシールを貼付したものとすることも可能である。このようにすることで、使用者に対して確実な転写作業と間違いのない使用方向とを示唆するようにしている。また上壁５１には、両垂下壁５１ａ、５１ａの内側に左右対をなして垂下させた内壁５１ｂ、５１ｂを形成している。これら内壁５１ｂ、５１ｂ間の前端部側には、転写ローラ２８ａの転写面２８ａ1に紙片Ｂを押し付ける���うにして案内するガイド部Ｎを設けている。このガイド部Ｎは、図１〜図５及び図８に示すように、転写ローラ２８の転写面２８ａ1に下方から対向する位置において内壁５１ｂ、５１ｂ間に回転可能に支持された支持軸５３ｂを有する補助ローラ５３から構成されるものであり、この補助ローラ５３の上面を裏当て面５３ａとして紙片Ｂの裏面に当接しつつ所定方向へ回転することで、紙片Ｂを所定方向へ送り出しながら転写ローラ５３による糊Ｔａの転写が確実に行われるようにしている。なお、図２〜図９及び図１１に示すように、内壁５１ｂ、５１ｂの前後方向中央部付近には、支持軸５４ａに支持させて補助ローラ５３と同様に下方から紙片Ｂに当接する第二下補助ローラ５４を回転可能に設ける一方、この第二下補助ローラ５４に上方から対向させた第一ケース２の前後方向中央部付近には下方の開口から突出させて、紙片Ｂの上面に当接する第二上補助ローラ２９を回転可能に設けている。この第二上補助ローラ２９は、第一ケース２の側壁２１と内壁２３との間に回転可能に支持される支持軸２９ａにより支持されている。したがって、これら第二上補助ローラ２９と第二下補助ローラ５４は、上下に紙片Ｂを挟み付けて所定方向へ送る紙送り機能を奏している。なお、補助ローラ５３と第二下補助ローラ５４は、転写対象物受け台５の上壁５１及び筐体５２を分解することで着脱することができるようにしてある。なお、第二上補助ローラ２９は、第一ケース２ではなくベース４に適宜の手段で設けることができ、このようにすることで、第二上補助ローラ２９を交換カートリッジの一構成要素とせずに非交換部品としてもよい。
【００２５】
以上に詳述したように、本実施形態の転写具Ａは、相互に係脱可能な第一ケース２及び第二ケース３の半割構造により構成されるケース本体１を、保持部Ｋにおいてベース４に保持させることにより使用姿勢Ｐとなるようにしているため、単なる半割構造のケース本体を有する従来の転写具と比較して、使用時における転写具Ａの剛性が高まり、内部の機構部品に歪みや不要な力が作用することがなく、良好な転写性を得ることができる。また、ベース４は回動支持部Ｌにおいて第二ケース３を回動可能に支持しており、この第二ケース３には転写物たるテープ糊Ｔの送出機構部品のうち非交換部品を収容させる一方、第二ケース３から離脱させ得る第一ケース２にテープ糊Ｔと交換部品を収容させているので、保持部Ｋによるベース４のケース本体１に対する保持状態を解除した保持解除姿勢Ｑでは、テープ糊Ｔ及び交換部品を付帯した第一ケース２を交換可能なカートリッジとして新旧の第一ケース２を容易に取り替えることが可能である。
【００２６】
特に本実施形態では、保持部Ｋをベース４とケース本体１との嵌合構造、詳細にはベース４をケース本体１に外嵌させた構造としているため、使用時における転写具Ａの剛性が非常に高まり、さらには使用姿勢Ｐでケース本体１を保持しているベース４を使用時における把持領域Ｈとしているので、ケース本体１の歪みをより一層防止することができる。
【００２７】
また、使用姿勢Ｐでは保持部Ｋによってケース本体１をベース４に保持させた状態で、これらケース本体１とベース４とを係り合わせる係止部Ｍを形成しているため、使用姿勢Ｐにおける転写具Ａの安定性を高めることができる。特にこの係止部Ｍは、ケース本体１に形成した係止爪３２ｃとベース４に形成した係止孔４３ａとの係脱可能な係合構造としているので、係止部Ｍ自体の構成の簡素化を図ることができ、特に係止爪３２ｃは第二ケース３に形成したものであるため、交換用の第一ケース２に係止爪を作り込む必要性をなくし、第一ケース２のコストダウンを図ることができる。
【００２８】
また、回動支持部Ｌによるケース本体１とベース４との回動方向は、保持解除姿勢Ｑにおける第一ケース２と第二ケース３との係脱方向とは異ならせており、詳細にはこれら両方向を略直交させているため、使用姿勢Ｐにおいて第一ケース２と第二ケース３とが安易に分離してしまうことがない。
【００２９】
さらに斯かる回動支持部Ｌは、第二ケース３に形成した回動支軸たる回動第一軸３９と、ベース４に形成した回動凹部４４ｄを有する回動第二軸４４との相互回動可能な係合構造としているので、使用姿勢Ｐにおけるケース本体１とベース４とのスムーズ且つ安定した回動動作が実現できる。なお、第一回動軸３９と第二回動軸４４とは、使用姿勢Ｐでは保持部Ｋの存在により抜脱不能であるが、保持解除姿勢Ｑでは係脱可能となるため、第二ケース２とベース４とを分別して廃棄する必要があっても両者を容易に分解することができる。
【００３０】
また、ベース４にはケース本体１に対する回動方向に開口させた開口部４ｓが形成してあり、使用姿勢Ｐではこの開口部４ｓ内に糊Ｔａを紙片Ｂに転写するためにケース本体１に設けられた転写ヘッド２８を収容し、且つ転写ヘッド２８の転写面２８ａ1を開口部４ｓから下方すなわち紙片Ｂ側へ突出させているため、糊Ｔａの紙片Ｂへの転写を確実に行うことができる。
【００３１】
ここで、転写ヘッド２８は長尺テープ状をなすテープ糊Ｔの糊Ｔａを回転動作によって紙片Ｂへと転写する転写ローラ２８ａを有するものであり、使用の結果汚損し易い転写ローラ２８ａを含む転写ヘッド２８を交換部品として第一ケース２に保持させているため、交換後の新しい第一ケース２には綺麗な状態の転写ローラ２８ａが付帯していることとなり、良好な使用感を維持することができるのみならず、テープ糊Ｔのみを交換する場合と比べて、極めて面倒なテープ糊Ｔの転写ヘッド２８への巻き付け作業を行わなくて済むことになる。さらに交換部品として、テープ糊Ｔを巻回保持する巻き出しスプール２６と巻き取りスプール２７とを第一ケース２に保持させているので、テープ糊Ｔのみを交換する場合と比較して、簡便な交換作業が実現できる。一方、非交換部品として、巻き出しスプール２６や巻き取りスプール２７を回転駆動する巻き出しギア３６や巻き取りギア３７等を第二ケース３に保持させており、これらは通常繰り返し使用できるものであるので、資源の無駄を省きコストダウンを図ることができる。
【００３２】
さらに本実施形態の転写具Ａは、ベース４との間に紙片Ｂを差し挟む挿通空間５ｓを形成する転写対象物受け台５を備えており、挿通空間５ｓ内に転写ローラ２８ａの転写面２８ａ1を位置付けていることから、紙片Ｂを上下に挟み込む姿勢で安定感良く転写作業を行うことが可能である。そしてこの転写対象物受け台５は、ベース４と共にケース本体１に対して回動可能としているので、第一ケース２の交換作業に転写対象物受け台５の存在が支障となることがない。
【００３３】
特にこの転写対象物受け台５には、挿通空間５ｓに差し込んだ紙片Ｂを転写ヘッド２８側へ案内するガイド部Ｎを形成しているので、糊Ｔａの紙片Ｂへの転写性が良好となる。さらにはこのガイド部Ｎを、紙片Ｂに裏面側から当接して回転する補助ローラ５３としているので、転写時における紙片Ｂの順方向への送り出しを正確に行うことができる。なお、補助ローラ５３も転写ローラ２８ａと同様に使用状況によっては汚損又は破損することが考えられるが、この補助ローラ５３は転写対象物受け台５から着脱可能な構成を採ることができ、その場合、補助ローラ５３の交換もできて非常に便利である。
【００３４】
なお、本発明は上述した実施形態に限られないのはいうまでもない。例えば、転写対象物受け台５を有さない転写具、すなわち紙片Ｂを差し挟まずに手で持った転写具の転写ヘッドを上方から紙片Ｂに押し当てて糊Ｔａを転写する態様の転写具とすることができる。また、転写対象物受け台５を有する場合であっても、ベース４との間に形成される挿通空間５ｓの上下方向の開口幅を適宜に設定することで、紙片Ｂのみならず様々な厚さの転写対象物への転写が可能となる。すなわち本発明が対象とする転写対象物は、上述した紙片Ｂに限らず種々のものを適用することができ、転写物としてもテープ糊Ｔ以外に、転写対象物へ転写可能なものであれば修正テープ等の種々のものを採用することができる。その他、各部の具体的構成についても上記実施形態に限られるものではなく、本発明の趣旨を逸脱しない範囲で種々変形が可能である。
【図面の簡単な説明】
【００３５】
【図１】本発明の一実施形態に係る転写具を使用姿勢で示す斜視図。
【図２】同右側面図。
【図３】同正面図。
【図４】同転写具を保持解除姿勢で示す右側面図。
【図５】同転写具を保持解除姿勢でケース本体を分解した状態として示す右側面図。
【図６】図２をI-I線で破断して示す概略断面図。
【図７】図２をII-II線で破断して示す概略断面図。
【図８】図２をIII-III線で破断して示す概略断面図。
【図９】図５をIV-IV線で破断して示す概略断面図。
【図１０】図５をV-V線で破断して示す概略断面図。
【図１１】図５をVI-VI線で破断して示す概略断面図。
【符号の説明】
【００３６】
１…ケース本体
２…第一ケース
３…第二ケース
４…ベース
４ｓ…開口部
５…転写対象物受け台
５ｓ…挿通空間
２６…交換部品（巻き出しスプール）
２７…交換部品（巻き取りスプール）
３２ｃ…係止爪
３６…非交換部品（巻き出しギア）
３６ａ…非交換部品（巻き出しコア）
３７…非交換部品（巻き取りギア）
３７ａ…非交換部品（巻き取りコア）
３８…非交換部品（中間ギア）
３９…回動支軸（回動第一軸）
４３ａ…係止孔
４４ｄ…回動凹部
５３…補助ローラ
Ａ…転写具
Ｂ…転写対象物（紙片）
Ｈ…把持領域
Ｋ…保持部
Ｌ…回動支持部
Ｍ…係止部
Ｎ…ガイド部
Ｐ…使用姿勢
Ｑ…保持解除姿勢
Ｔ…転写物（テープ糊）
Ｔａ…糊
Ｔｂ…テープ本体
【図１】
2005320088.tif 000003
【図２】
2005320088.tif 000004
【図３】
2005320088.tif 000005
【図４】
2005320088.tif 000006
【図５】
2005320088.tif 000007
【図６】
2005320088.tif 000008
【図７】
2005320088.tif 000009
【図８】
2005320088.tif 000010
【図９】
2005320088.tif 000011
【図１０】
2005320088.tif 000012
【図１１】
2005320088.tif 000013